(57)【特許請求の範囲】
【請求項１】
乗物の室内に設けられて、物品を入れる収容部及び該収容部の開口を開閉するシャッターを備えた物品収容装置において、
前記収容部は、両側面と背面及び内底面とで内部をほぼ区画し、かつ両側の突出縁部に沿って設けられて前記シャッターを摺動可能に組み付けるガイド溝と、前記内底面に設けられて前記物品として飲料容器を挿入して保持する有底筒状の保持部とを有し、
前記シャッターは、摺動方向に屈曲可能、かつ前記ガイド溝の任意の位置で保持可能となっており、
前記保持部は、有底筒状の内下面側に略水平状に設けられて前記飲料容器を略垂直に保持する第１底受け部と、該第１底受け部より径大でかつ前記背面側から前記扉側である前側に向けて下向きとなるよう傾斜されて前記飲料容器を前記収容部の開口前側へ傾斜した状態に保持する第２底受け部とを有している、ことを特徴とする物品収容装置。
【請求項２】
前記シャッターは、先端が前記背面の対応部に当接した閉位置から、内面に設けたストッパーを前記内底面に当接して規制される最大開位置まで摺動される請求項１に記載の物品収容装置。
【請求項３】
前記シャッターは、複数の薄肉部を介し屈曲される本体と、該本体の両側に設けられた多数の突起と、前記突起に設けられた空洞又は欠肉した弾性部とを有し、前記ガイド溝に対し前記突起及び弾性部を嵌合し、かつ前記弾性部を介し適位置で保持される請求項１又は２に記載の物品収容装置。
【発明の詳細な説明】
【０００１】
【発明の属する技術分野】
本発明は、物品収容装置のうち、特に乗物室内にあって、コンソール，座席，ドア内張等に付設されて、小物類や飲料容器又は携帯電話等（以下、これを総称して「物品」と言う）を入れたり保持するに好適な物品収容装置に関する。
【０００２】
【従来の技術】
図９は従来の物品収容装置のうち、特にドア内張に付設された３例を示している。同（ａ）の装置（実開平６２−３３３３５号）は、アームレスト部５０の上面角部に設けられた上開口した断面略Ｌ形の収容部５１と、収容部５１に対応した断面逆Ｌ形の扉５２とからなる。扉５２は、収容部５１の室内側の下縁に枢軸５３を介し回転可能に組み付けられ、収容部５１に容器Ｋ等を出し入れする場合に枢軸５３を支点として、収容部５１を覆った閉位置と、室内側に回転されて使用状態となる開位置とに切り換えられる。また、同（ｂ）及び（ｃ）の装置は、収容部５４，５７がアームレスト部５０の上面に凹状に設けられ、容器Ｋ等が該収容部５４，５７の真上から凹状内に入れられる点で共通している。同（ｂ）では、扉５５が収容部５４の上開口縁部に枢軸５６を介し回転可能に組み付けられ、該枢軸５６を支点として、収容部５４の上開口を塞いだ閉位置と、外へ回転される開位置とに切り換えられる。 同（ｃ）では、扉５８が収容部５４の上開口縁部に枢軸５９及び付勢ばね６０を介し回転可能に組み付けられ、該枢軸５９を支点として、収容部５７の上開口を塞いだ閉位置から、付勢ばね６０のばね力に抗し内側へ回転されて開位置に切り換えられる。なお、収容部５１，５４，５７は容器以外の物品用の格納部として使用可能である。
【０００３】
【発明が解決しようとする課題】
上記従来構造は、物品を出し入れしたり容器Ｋを保持する点で何れもが簡易かつ簡明である。図９（ｂ）及び（ｃ）の構造は図９（ａ）に対し扉５５や５８が室内側に張り出さない点で優れ、図９（ｃ）の構造は（ｂ）の様に開位置にある扉５５が物品や容器Ｋを取り出す際に邪魔にならない点で優れている。しかし、従来構造では、物品収納性や容器保持性等を確保するため収容部内の深さをある程度深くしなくてはならず、収容部内の深さが増大するほど、例えば、物品の出し入れ性が悪くなったり、扉の開閉操作も悪くなる。また、収容部５１，５４，５７の設置個所が９（ｃ）に模式的に示した如くドア内張６１の起立壁６１ａの場合には、物品や容器Ｋを収容部５７に出し入れするとき、起立壁６１ａに当たって汚したり、室内側に大きく張り出しているため安全性や外観を損ない易い等の問題もある。
【０００４】
本発明は、上記したような課題を解消することを目的としている。具体的には、物品の出し入れ性や安定保持性を良好にでき、同時に、用途的な汎用性つまり収容部を小物入用としたり、ペットボトル等の如く比較的長いものを保持する保持用としても優れるようにし、それにより商品価値を向上することにある。他の目的は以下に説明する内容の中で順次明らかにして行く。
【０００５】
【課題を解決するための手段】
上記目的を達成するため本発明は、図面に例示される如く、乗物の室内に設けられて、物品を入れる収容部２及び該収容部２の開口を開閉するシャッター１０を備えた物品収容装置１において、前記収容部２は、両側面（３ｂ，４ｂ又は５の何れでもよい）と背面（３ａ，４ａ）及び内底面（２１）とで内部をほぼ区画し、かつ両側の突出縁部５ａに沿って設けられて前記シャッターを摺動可能に組み付けるガイド溝６と、前記内底面に設けられて前記物品として飲料容器を挿入して保持する有底筒状の保持部７とを有し、前記シャッター（１０）は、摺動方向に屈曲可能、かつ前記ガイド溝の任意の位置で保持可能となっており、前記保持部（７）は、有底筒状の内下面側に略水平状に設けられて前記飲料容器を略垂直に保持する第１底受け部（２５）と、該第１底受け部より径大でかつ前記背面側から前記扉側である前側に向けて下向きとなるよう傾斜されて前記飲料容器を前記収容部の開口前側へ傾斜した状態に保持する第２底受け部（２６）とを有していることを特徴としている。
【０００６】
以上の装置構造では、まず、収容部２が両側面と背面及び内底面とで内部をほぼ区画され上及び前側（室内側）を開口していること、該開口が両側の突出縁部５ａに設けられたガイド溝６に沿って摺動されるシャッター１０により開閉される。これは、例えば、室内壁に設置された状態を想定すると、収容部２が上及び前側を開口していることから、従来の上開口した構造に対し鉤類等の小物類であっても横や水平方向から出し入れできるため出し入れ性が良好となり、又、形態例の如く大小の容器、缶やボトル類であっても保持機能を具備し易い。また、シャッター１０は、両側の突出縁部５ａに設けられたガイド溝６に沿って摺動されるため、最大開位置にしても車室内に突出せず安全性と外観を維持し易い。
【０００７】
また、前記シャッター１０が前記ガイド溝６に任意の位置で保持可能なっているため、収納する物品の大きさ又は長さに応じシャッター１０の開位置を調整、つまり閉位置から摺動して最大開位置に達する前の任意の位置で止めることで、収容部２として物品に適した開口状態も得られる。しかも、前記した収容部２が両側面と背面及び内底面とで上及び前側を開口し、該開口をシャッター１０で開閉するため、形態例の如く内底面２１の位置を上下の概略中間に設定するだけで有底筒状の保持部７を付設しても、シャッター１０で目視不能にして外観を維持し易く、又、前記した如くシャッター１０の開位置を調整することで背丈の異なる飲料容器をより安定保持できる。さらに、前記保持部７は、有底筒状の内下面側に設けられた略水平状の第１底受け部２５と、該第１底受け部２５より径大でかつ前記背面側から前記シャッター側である前側に向けて下向きとなるよう傾斜した第２底受け部２６とを有しているため、図７の例の如く紙カップＫ1や小型缶類Ｋ2を第１底受け部２５に対し垂直状態で保持し、大型缶類Ｋ3やボトルＫ4を第２底受け部２６に対し車室側へ傾斜した状態で保持することで、保持性及び出し入れ性等を良好にする。
以上の物品収容装置は請求項２から３の如く具体化されることがより好ましい。
・第１に、前記シャッター１０は、先端が前記背面の対応部に当接した閉位置から、内面に設けたストッパー１１ｃを前記内底面２１に当接して規制される最大開位置まで摺動される構成である。これは、シャッター１０の摺動範囲を確認的に特定したものであり、また、シャッター１０を開位置で規制する構成としてストッパー１１ｃを追加するだけでよく簡易化も図られる。
・第２に、前記シャッター１０は、複数の薄肉部１２を介し屈曲される本体１１と、該本体の両側に設けられた多数の突起１３と、前記突起に設けられた空洞又は欠肉した弾性部１５とを有し、前記ガイド溝６に対し前記突起１３及び弾性部１５を嵌合し、かつ前記弾性部１５を介し任意の位置で保持される構成である。これは、ガイド溝６と突起１３等との嵌合度を強くして任意の位置で保持可能にすると摺動特性が悪くなるため工夫されたものであり、空洞又は欠肉した弾性部１５の存在により摺動特性を維持しながら実現容易にする。
【０００８】
【発明の実施の形態】
以下、本発明の実施形態を添付図面に基づいて説明する。図１は本発明を適用した物品収容装置を最大開位置で示す概略外観図である。図２〜図４は前記装置の細部を示し、図２（ａ）はシャッターの最大開位置での正面図、図２（ｂ）はシャッターを省いた正面図、図３（ａ）はシャッターの閉位置での正面図、図３（ｂ）は背面図、図４（ａ）は側面図、図４（ｂ）は図２（ｂ）のＨ−Ｈ線断面図である。図５と図６はシャッターの細部を示し、図５（ａ）はシャッターの半上面図、図５（ｂ）は側面図、同（ｃ）は半裏面図、図６（ａ）は図５（ａ）のＦ部をガイド溝と共に拡大した要部拡大図、図６（ｂ）は（ａ）の状態を裏側から見た図である。図７は装置作動例を示し、図７（ａ）は図２（ａ）のＧ−Ｇ線に沿って断面した模式図、図７（ｂ）は（ａ）の状態からシャッターを少し上に摺動した模式図である。図８は前記物品収納装置の変形例であり、図８（ａ）は図４（ａ）に対応させて示す側面図、図８（ｂ）は図４（ｂ）に対応させて示す断面図である。
【０００９】
（装置形態）この物品収容装置（以下、装置と省略する）１は、図１の如く上及び前側を開口した収容部２を有し、該収容部２の開口をシャッター１０により開閉する構造であり、車室内のうち、室内壁、ドア内張やコンソール等の起立壁に取り付けられる。構成部材は、収容部２を形成している上下半体３，４と、両側板部５と、シャッター１０とからなり、何れもが樹脂成形品からなっている。なお、この構造では、図３（ｂ）の如く上半体３の一部に取り付けられるランプ８を有し、又、図示を省略したがオプション品としての灰皿が着脱可能に組み付けられるよう設計されている。
【００１０】
ここで、収容部２は、上下半体３，４で背面及び内側面を形成していると共に、上下半体３，４と両側板部５で所定大の収容空間を区画し、前側及び上を開口した状態となっており、両側板部５の突出縁部５ａ（板幅方向の前及び下側縁部）に沿って設けられガイド溝６を有している。即ち、上半体３は、図２の如く収容部２の上背面部分３ａと、両側板部５の上内側に重ねられる上側面部分３ｂとを形成している。上背面部分３ａには、下側中間部に前後貫通した横溝状の透孔３ｃが２つ設けられている。そして、裏面側には、透孔３ｃの両側に位置決め用リブ及び取付用リブが設けられ、図３（ｂ）の如くユニット化されたランプ８が位置決めされ、ねじ９ａを介して装着されている。なお、ランプ８は、装置１を取り付ける前記した起立壁側に設けられるスイッチによりオン・オフされる。上側面部分３ｂの裏面側には、図面上表れていないが、側板部５に対する位置決め用リブ及び取付用リブとが設けられている。また、上半体３（上背面部分３ａ及び上側面部分３ｂ）の下側には接続用フランジ部３ｄが設けられている。
【００１１】
下半体４は、図２（ｂ）の如く上背面部分３ａの下側に配置される下背面部分４ａと、上側面部分３ｂの下側に配置される下側面部分４ｂと、上背面部分４ａ及び下側面部分４ｂの下側に設けられた保持部７とを一体に形成している。保持部７は、収容部２の内底面を形成している平坦壁２１と、平坦壁２１に開口した状態に設けられた２個の有底筒状の筒部２２と、平坦壁２１の両側に下設された側壁２３等からなる。平坦壁２１は、前側が背面側よりも若干下に変位した状態に設けられている。各筒部２２は円筒状をなし、深さが５から８ｃｍ程度に設定されている。両筒部２２の間は切欠部を介し連通されている。筒部２２の内周には、平坦壁２１から下側へ向けて延びた３本の取付溝２４が設けられており、該取付溝２４又は取付溝２４と前記切欠部を利用して前記オプション品が必要に応じて後付可能になっている。各筒部２２の筒内下側には、図４（ｂ）の如く第１と第２底受け部２５，２６が設けられている。第１底受け部２５は、筒部２２の内径よりも小さな円形で筒内の最下面、つまり水平状受け面を形成している。第２底受け部２６は、筒部２２の内径とほぼ同じ円形でかつ背面側から前側に向けて下向きとなるよう傾斜した状態で設けられている。即ち、第２底受け部２６は、背面側が高く、前側が第１底受け部２５に接近するよう低くした傾斜端面として形成されている。両側壁２３の外面には、２個の取付孔と位置決めリブ２７が設けられている。
【００１２】
両側板部５は、左右対称形状であり、図４の如く上下方向に細長くなっていると共に前及び下側が湾曲形状となっていると共に、突出縁部５ａにガイド溝６を一体に形成している。突出縁部５ａは、略上下中間の箇所が最も前側に張り出している。各側壁部５の上下寸法は、前記上下に接続される上下半体３，４の対応部より下側に延設される長さに設定されている。各側板部５の外面には、上記した上半体３の位置決め用リブ及び取付用リブに対応した位置決め孔５ｂ及び貫通孔５ｃと、下半体４の位置決めリブ２７及び取付孔に対応した位置決め孔５ｄ及び貫通孔５ｅと、３個の取付片５ｆとが設けられている。ガイド溝６は、断面略コ形状をなし、突出縁部５ａに応じて湾曲され、又、上端側が背面側へ延びかつ上溝端が規制壁６ａで閉じられ、下端側が背面側へ延びかつ下溝端が開放されている。ガイド溝６のうち、規制壁６ａの少し手前には規制凸部６ｂが溝内へ突出した状態に設けられている。
【００１３】
（組立）以上の各部材は、例えば、下半体４を上半体３に対し下背面部分４ａ及び下側面部分４ｂの上縁部を前記フランジ部３ｄに当接した後、各側板部５を上記した位置決め用リブ２７等と位置決め孔５ｄ等の係合を介し位置決め配置し、その状態でねじ９ｂを各貫通孔５ｃ，５ｅから前記した取付リブや取付孔に係止する。組立状態では、上下半体３，４及び側壁部５が形状的に連続し、上及び前側を開口した収容部２が形成される。又、この組立ではシャッター１０が組み付けられる。
【００１４】
シャッター１０は、図５及び図６の如く薄肉部１２を介し摺動方向に屈曲される本体１１と、該本体１１の両側に設けられた多数の突起１３と、突起１３の表裏に設けられた弾性部１５及び円弧部１６と、突起端面に設けられた小凸部１７とを一体に形成している。本体１１は、板幅方向に設けられた複数の薄肉部１２を介し屈曲可能になっていて、図３（ａ）の如く両側板部５の上側から前記筒部２２をほぼ覆う長さ寸法であり、又、板幅が両ガイド溝１６の間の寸法よりも少し小さめに設定されている。本体１１には、先端側にあって外面側に一段突出した摘み部１１ａと、内面側にあって両側の突起１３と対応する位置に突出した補強リブ１１ｂと、摘み部１１ａと反対側に一段突出したストッパー１１ｃ等が設けられている。突起１３は、本体１１の両側にあって、薄肉部１２同士の間にそれぞれ設けられている。各突起１３は、本体１１の内面に連結された略Ｌ形をなし、Ｌ形の垂直部１５ａに相当する分だけ本体１１に対し下側に位置している。Ｌ形の水平部１５ｂには、溝１４が設けられ、該溝１４よりも先端側がガイド溝６と嵌合する部分となっている。この部分には、内部空洞の弾性部１５が外面（図６の上面）に設けられ、円弧部１６が内面（図６の下面）に設けられ、更に小凸部１７が端面に設けられている。そして、各突起１３は、半円状弾性部１５及び円弧部１６を介しガイド溝１６のコ形溝内に嵌合配置されると、小凸部１７がガイド溝１６のコ形の中間内面に点接するようになっている。なお、突起１３は、図５の左側の突起１３を除いて、ほぼ等間隔で設けられているが、２箇所のものが突起１３に代えて舌状の立壁部１８となっている。立壁部１８には取付孔が設けられている。両側の立壁部１８には、補強用シャフト１９が装着されている。但し、立壁部１８及びシャフト１９は省略されることもある。
【００１５】
以上のシャッター１０は、例えば、掴み部１１ａ側の先端側を前記した両側のガイド溝６のうち、前記開放された下溝端に配置し、先端側の突起１３を対応するガイド溝６に嵌合した後、ガイド溝６に沿って下から上方向へ摺動させる。この摺動時には、ストッパー１１ｃが前記した平坦壁２１（図７参照）の前側に下から当たるので、側板部５の一方側をねじ９ｂを緩めて上下半体３，４の対応部から若干離間させた状態にすると、ストッパー１１ｃが平坦壁２１を乗り越え、シャッター１０が突起１３を介しガイド溝６に沿って上方向へ摺動可能となる。勿論、これは一例であり、製造ラインではシャッター１０も上記各部材の組立時に組み付けられる。
【００１６】
（使用例及び作動）以上の装置１は、収容部２がシャッター１０の摺動操作により開閉される。シャッター１０は、図１と図２及び図７の各（ａ）の如く最大開位置（全開した状態のこと）から図３（ａ）の閉位置まで摺動され、又、図７（ｂ）の如く最大開位置と閉位置との間の任意な箇所（任意の位置）で保持可能となっている。即ち、最大開位置では、ストッパー１１ｃが平坦壁２１に当接してシャッター１０の下移動を規制する。また、シャッター１０は、ガイド溝６に対し各突起２３の弾性部１５及び円弧部１６でコ形の対向面にそれぞれ弾接し、かつ小凸部１７でコ形の中間内面に点接しているため、ガイド溝６が湾曲していても薄肉部１２の屈曲作動や弾性部１５の変形作用等を伴ってスムースに摺動され、かつ振動を受けてもがたつかない。この場合、シャッター１０は、乗員が掴み部１１ａを持って任意の位置まで摺動操作した後、掴み部１１ａから手を離しても、弾性部１５及び円弧部１６がコ形の対向面にそれぞれ弾接し、かつ弾性部１５が内部空洞又は内部欠肉に形成されて弾性変位に富んでいるため、ガイド溝６に弾性的に保持される。シャッター１０は、図７（ｂ）よりも更に上方へ摺動されると、対応突起２３（シャッター１０の先端側にある突起２３）がガイド溝６の規制凸部６ｂを弾性変位しながら通過した後、規制壁６ａに当たって係止され、収容部２の開口を完全に閉じた閉位置に保持される。この保持力は、規制凸部６ｂと共に弾性部１５の弾性力も作用しているため、過大な振動を受けてもシャッター１０の不用意な下移動を確実に阻止する。
【００１７】
従って、形態例の装置では次の様な使用態様が実現される。第１に、収容部２に鉤類やカード類等の小物類を収納しておく態様である。この態様では、乗員がシャッター１０を開閉することにより、小物類を横又は水平方向から収容部２内に容易に出し入れできる。この場合、小物類を保持部７を形成している筒部２２に入れ、比較的嵩張る物品を平坦壁２１上に載せておくことも可能となる。また、シャッター１０を任意の位置又は最大開位置にして、携帯電話等を筒部２２に入れておくと何時でも楽に取り出せるという便利性もある。第２に、各種飲料容器を筒部２２に入れて保持する態様である。この態様では、図７（ａ）の例の如く紙カップＫ1や小型缶類Ｋ2等を第１底受け部２５上に載せたり、図７（ｂ）の例の如く大型缶類Ｋ3やボトルＫ4等を第２底受け部２６上に載せる。この場合、前者では紙カップＫ1や缶類Ｋ2が略垂直に保持され、後者では缶類Ｋ3やボトルＫ4が開口前側へ傾斜した状態、つまり乗員にとって取り出し易い状態で保持される。また、シャッター１０を図７（ｂ）の例の如く少し上へ摺動しておくと、背丈の高い缶類Ｋ3やボトルＫ4では、下側周囲が筒部２２の内周で支持されるだけでなく、上側周囲がシャッター１０の先端縁部により支持されてより安定した状態で保持される。出し入れ性は、図９の上開口した従来装置より容易であり使い勝手がよい。第３に、上記した灰皿等のオプション品を取付溝２４又は取付溝２４と前記切欠部に後付けして付加価値を付与する態様である。オプション品としては灰皿に限らず、携帯電話等の物品専用ホルダー、特願２００１−２３７５７４号に記載の様な底受け部材等であってもよい。
【００１８】
（変形例）図８は以上の装置１を変形した一例を示している。同図の装置１Ａは、上記形態に対し側板部５Ａの下側形状及び対応するガイド溝６Ａの下側形状が変更され、それ以外は同じくしている。このため、上記形態と同じ部材及び部位に同一符号を付し、変更点だけを説明する。即ち、この構造は、側壁部５Ａの下側が上記側板部５よりも幅寸法を小さ目に形成され、それに対応してガイド溝６Ａの下側が円弧により近い曲率で湾曲されている。これは、装置１Ａの下側をスリムにした例であり、装置１Ａを設置する車室内壁やドア内張等の設置箇所との関係で変更したものである。これ以外でも、本発明は設置個所、全体の大きさや経費等に応じ、例えば、収容部２の構成として、樹脂成形により一体に形成したり、背面部材と側面部材で構成したり、背面形状を変形する等、適宜に変更可能なものである。
【００１９】
【発明の効果】
以上説明したとおり、本発明の物品収容装置は、縦配置のタイプにおいて、収容部に対し各種の物品や飲料容器等を共に横又は水平方向から出し入れできるため出し入れ性がよく、収容部内が大きく露出されるため小さな鉤類等であっても収納でき、また、シャッターがガイド溝に沿って摺動されるため安全性に優れ、ボトル等を支える機能も有している。これにより、本発明品は、従来装置に対し安全性、外観特性、汎用性、使い勝手を共に改善できる。
【図面の簡単な説明】
【図１】  形態例の物品収容装置の概略外観図である。
【図２】  図１の装置細部を示す正面図である。
【図３】  図１の装置細部を示す正面図と背面図である。
【図４】  図１の装置細部を示す側面図と断面図である。
【図５】  図１のシャッターの細部を示す図である。
【図６】  上記シャッターの要部を示す拡大図である。
【図７】  図１の装置作動を説明するための図である。
【図８】  上記装置の変形例を示す図である。
【図９】  従来装置の３例を示す図である。
【符号の説明】
１，１Ａ…物品収容装置
２…収容部（２１は内底面に相当する平坦壁）
３，４…上下半体
５，５Ａ…側板部（５ａは突出縁部）
６，６Ａ…ガイド溝
７…保持部（２２は筒部、２５は第１底受け部、２６は第２底受け部）
１０…シャッター（１１は本体、１２は薄肉部、１３は突起）
１１ｃ…ストッパー
１５…弾性部
【図１】
0004855612.tif 000002
【図２】
0004855612.tif 000003
【図３】
0004855612.tif 000004
【図４】
0004855612.tif 000005
【図５】
0004855612.tif 000006
【図６】
0004855612.tif 000007
【図７】
0004855612.tif 000008
【図８】
0004855612.tif 000009
【図９】
0004855612.tif 000010